(57)【特許請求の範囲】
【請求項１】
底板及び該底板上に装着された有天の本体ケースと、下面に３本の設置脚を有し該設置脚が前記底板を貫通して前記本体ケース内に収容された貯湯タンクとを備え、
前記設置脚の近傍において前記底板の下面に、その下端部が前記設置脚の下端部と同一平面上に位置する複数の横揺れ防止部材を設けたことを特徴とする貯湯式給湯器。
【請求項２】
前記３本の設置脚はほぼ三脚状に設けられ、前記底板の一辺と対向する１本の設置脚の両側近傍に前記横揺れ防止部材を設け、該横揺れ防止部材を前記本体ケース内に収容可能に構成したことを特徴とする請求項１記載の貯湯式給湯器。
【請求項３】
前記横揺れ防止部材の前面側に化粧パネルを取付けたことを特徴とする請求項２記載の貯湯式給湯器。
【発明の詳細な説明】
【技術分野】
【０００１】
本発明は、貯湯式給湯器に係り、より詳しくは、横揺れ防止手段を備えた貯湯式給湯器に関するものである。
【背景技術】
【０００２】
従来の貯湯式の給湯器は、一般に、円筒状のタンクの底面に三脚状に配置した３本の支持脚を有し、この支持脚をコンクリート製の土台にねじ止めなどにより固定して、据付けている。また、これら３本の支持脚は、給湯器の運搬、保管、荷扱いなどの際に、給湯器を自立させる機能を備えている（例えば、特許文献１参照）。
【０００３】
【特許文献１】特開２００６−６４３３９号公報（第２−３頁、図１）
【発明の開示】
【発明が解決しようとする課題】
【０００４】
特許文献１の貯湯式の給湯器は、運搬、保管、荷扱いなどの際には３本の支持脚で自立させているが、給湯器は背が高くその上支持脚が３本で不安定のため、給湯器、特にその上部が横揺れし易く、このため、給湯器内に設けた機器や、これらを接続する配線や配管が損傷したり、場合によっては給湯器が転倒するおそれがあった。
【０００５】
本発明は、上記の課題を解決するためになされたもので、運搬、保管、荷扱いなどの際の自立状態における安定性を確保して、横揺れを防止するようにした貯湯式給湯器を提供することを目的としたものである。
【課題を解決するための手段】
【０００６】
本発明に係る貯湯式給湯器は、底板及び該底板上に装着された有天の本体ケースと、下面に３本の設置脚を有し該設置脚が前記底板を貫通して前記本体ケース内に収容された貯湯タンクとを備え、前記設置脚の近傍において前記底板の下面に、その下端部が前記設置脚の下端部と同一平面上に位置する複数の横揺れ防止部材を設けたものである。
【発明の効果】
【０００７】
本発明によれば、運搬、保管、荷扱いなどの際に安定して自立することができて、横揺れを大幅に抑制できるので、内蔵する機器や配線、配管などが損傷することがなく、転倒するおそれもない貯湯式給湯器を得ることができる。
【発明を実施するための最良の形態】
【０００８】
［実施の形態１］
図１は本発明の実施の形態１に係る貯湯式給湯器の模式的説明図、図２は図１のＡ−Ａ断面図である。
貯湯式給湯器１を構成する円筒状の貯湯タンク２の下部には、ほぼ正三角形の頂点に対応する位置に、それぞれ設置脚３ａ，３ｂ，３ｃが設けられており、四角形の底板５に設けた貫通穴７ａ，７ｂ，７ｃに挿入されて固定され、下面に突出している。
【０００９】
そして、底板５上には貯湯タンク２を覆うようにして断面四角形で有天の本体ケース６が設けられて外筐を形成しており、１本の設置脚３ａ側、又は２本の設置脚３ｂ，３ｃ側のいずれかを前面（正面）にして設置される。なお、図示してないが、貯湯タンク２と本体ケース６との間には電気ヒータ、ヒートポンプ式加熱手段や、これらを接続する配線や配管が配置されている。
【００１０】
２０ａ，２０ｂは底板５の下面に設けられた横揺れ防止部材で、その下端部は設置脚３ａ〜３ｃの下端部と同一平面上に位置し、必要に応じて本体ケース６内に収納しうるようになっている。
この横揺れ防止部材２０ａ，２０ｂは、底板５の一方の辺のほぼ中央部近傍に位置する１本の設置脚３ａの両側、つまり、１本の設置脚３ａと対向する辺とこの辺と直交する両側辺とが交わる角部の近傍に設置されている。
【００１１】
図３に横揺れ防止部材２０ａ，２０ｂ（以下の説明では、２０と記すことがある）の底板５への取付構造の一例を示す。底板５には横揺れ防止部材２０の挿通穴８が設けられており、挿通穴８の一方の側にはねじ挿通穴９が貫設され、他方の側にはねじ穴１０が設けられている。
また、横揺れ防止部材２０の上下の両端部には、互いに反対方向に折曲げられた固定片２１ａ，２１ｂが設けられており、上部の固定片２１ａにはねじ穴２２が、下部の固定片２１ｂにはねじ挿通穴２３が設けられている。
【００１２】
上記のような横揺れ防止部材２０を底板５から下方に突出させる場合は、図３（ａ）に示すように、横揺れ防止部材２０を挿通穴８に沿って下降させ、その固定片２１ａを底板５の上面に当接させる。このとき、底板５のねじ挿通穴９と固定片２１ａのねじ穴２２が整合する。ついで、底板５の下面からねじ挿通穴９に挿通したねじ２４ａを固定片２１ａのねじ穴２２に螺入し、横揺れ防止部材２０を底板５に固定する。
【００１３】
横揺れ防止部材２０を本体ケース６内に収容する場合は、先ず、ねじ２４ａを外し、図３（ｂ）に示すように、横揺れ防止部材２０を挿通穴８に沿って押上げ、下部の固定片２１ｂを底板５の下面に当接させ、そのねじ挿通穴２３を底板６のねじ穴１０と整合させる。そして、ねじ挿通穴２３に挿入したねじ２４ｂをねじ穴１０に螺入して固定する。これにより、横揺れ防止部材２０は本体ケース６内に収容される。
【００１４】
図４に横揺れ防止部材２０の他の取付構造を示す。本例においては、底板５の挿通穴８の一方の側の上面と他方の側の下面に、互いに挿通穴８側に開口する係合部１１ａ，１１ｂを設けた。また、横揺れ防止部材２０を円柱状に形成して、その上下に係止板２５ａ，２５ｂを設けると共に、下部の係止板２５ｂの上面に、係合部１１ｂに係止する係止片２６を設けたものである。
【００１５】
本例において、横揺れ防止部材２０を底板５から下方に突出させる場合は、図４（ａ）に示すように、横揺れ防止部材２０を下降させ、係止板２５ａを底板５の上面に当接させて回転し、係止板２５ａを係合部１１ａに係止させる。これにより、横揺れ防止部材２０は底板５にロックされる。
【００１６】
横揺れ防止部材２０を本体ケース６内に収容する場合は、先ず、横揺れ防止部材２０を回転して係止板２５ａを係合部１１ａから離脱させ、ロックを解除する。ついで図４（ｂ）に示すように、横揺れ防止部材２０を上昇させ、下部の係止板２５ｂが底板５に近付いたときに横揺れ防止部材２０を回転し、係止片２６を係合部１１ｂに係止させ、ロックする。
以上、図３、図４により横揺れ防止部材２０の底板５への取付構造について説明したが、これはその一例を示すものでこれに限定するものではなく、適宜他の構造を実施することができる。
【００１７】
上記のように構成した本実施の形態においては、貯湯式給湯器１を運搬や保管したり、あるいは荷扱いする場合は、図１、図２に示すように、横揺れ防止部材２０ａ，２０ｂを底板５から下方に突出させる。
これにより、例えば、荷台や土台上に自立して載置された貯湯式給湯器１は、貯湯タンク２に設けたほぼ三脚状の設置脚３ａ〜３ｃと、１本の設置脚３ａの両側近傍において底板５に設けた横揺れ防止部材２０ａ，２０ｂとの、５本の脚によって安定して支持されるため、横揺れを大幅に抑制することができる。
【００１８】
このため、貯湯式給湯器１自身の揺れや、貯湯式給湯器１と他の部材や物品あるいは運搬設備などとの衝突によって、外筐５内に設けた機器や配線、配管などが損傷することがなく、また、貯湯式給湯器１自体が転倒することもない。
さらに、貯湯式給湯器１の据付後は横揺れ防止部材２０は、必要に応じて本体ケース６内に収容しうるようにしたので、この部分の空間を広くして有効利用することができる。
【００１９】
［実施の形態２］
図５は本発明の実施の形態２に係る貯湯式給湯機の要部（図２に対応）の説明図である。なお、実施の形態１と同じ部分にはこれと同じ符号を付し、説明を省略する。
実施の形態１においては、底板５の一辺と対向する設置脚３ａの両側近傍に、本体ケース６内に収容可能な一対の横揺れ防止部材２０ａ，２０ｂを設けた場合を示したが、本実施の形態は、さらに横揺れ防止部材を設けたものである。
【００２０】
図５（ａ）は、実施の形態１の貯湯式給湯器１において、横揺れ防止部材２０ａ，２０ｂを設けた側と反対側に位置する設置脚３ｂ，３ｃの中間部近傍の底板５の下面にも、横揺れ防止部材２０ｃを設けたものである。
また、図５（ｂ）は、貯湯タンク２の中心部近傍において、底板５の下面に、横揺れ防止部材２０ｄを設けたもので、これら横揺れ防止部材２０ｃ又は２０ｄを設けることにより、貯湯式給湯器１をより安定して自立させることができる。なお、本実施の形態においては、横揺れ防止部材２０ｃ，２０ｄを貯湯タンク２の直下に設けたので、本体ケース６内に収容することはできないが、必要があれば、底板５とほぼ平行に折曲げるようにしてもよい。
【００２１】
［実施の形態３］
図６は本発明の実施の形態３に係る貯湯式給湯器の要部の説明図である。なお、実施の形態１と同じ部分にはこれと同じ符号を付し、説明を省略する。
本実施の形態は、貯湯式給湯器１が、１本の設置脚３ａ及び２本の横揺れ防止部材２０ａ，２０ｂを前面（正面）にして設置された場合、横揺れ防止部材２０ａ，２０ｂを本体ケース６内に収容することなく突出させておき、この横揺れ防止部材２０ａ，２０ｂに、化粧パネル１５をねじ等で取付けて前面を覆ったものである。
このように、横揺れ防止部材２０ａ，２０ｂを利用することにより、化粧パネル１５を容易かつ強固に取付けることができる。
【図面の簡単な説明】
【００２２】
【図１】本発明の実施の形態１に係る貯湯式給湯器の模式的説明図である。
【図２】図１のＡ−Ａ断面図である。
【図３】図１の横揺れ防止部材の取付構造の説明図である。
【図４】横揺れ防止部材の他の取付構造の説明図である。
【図５】本発明の実施の形態２に係る貯湯式給湯器の要部の説明図である。
【図６】本発明の実施の形態３に係る貯湯式給湯器の要部の説明図である。
【符号の説明】
【００２３】
１  貯湯式給湯器、２  貯湯タンク、３ａ〜３ｃ  設置脚、５  底板、６  本体ケース、１５  化粧パネル、２０，２０ａ，２０ｂ  横揺れ防止部材。
【図１】
0004906763.tif 000002
【図２】
0004906763.tif 000003
【図３】
0004906763.tif 000004
【図４】
0004906763.tif 000005
【図５】
0004906763.tif 000006
【図６】
0004906763.tif 000007